(57)【要約】【課題】  簡単な工程での製造が可能で、体腔内への挿入も容易な遺体の体腔封止具を提供する。【解決手段】  それぞれ開口端部３ａ，４ａと閉鎖端部３ｂ，４ｂを有する円筒状のボディー３とキャップ４とを互いに嵌合させてなるカプセル２を設け、ボディー３とキャップ４との内少なくとも一方の閉鎖端部３ａ及び／又は４ｂはドーム状となし、カプセル２は水溶性資材により形成し、カプセル２内に粉末状又は顆粒状の高吸水剤５を収容する。カプセル２内に、さらに粉末状又は顆粒状の消臭剤及び／又は殺菌剤を収容することができる。【選択図】  図２
0003193209.tif 000002
【実用新案登録請求の範囲】
【請求項１】
それぞれ開口端部と閉鎖端部を有する円筒状のボディーとキャップとを互いに嵌合させてなるカプセルを設け、前記ボディーとキャップとの内少なくとも一方の閉鎖端部はドーム状となし、前記カプセルは水溶性資材により形成し、前記カプセル内に粉末状又は顆粒状の高吸水剤を収容してなることを特徴とする遺体の体腔封止具。
【請求項２】
高吸水剤は、２００〜３００ｍｌ／ｇの吸水力を有するものである請求項１に記載の遺体の体腔封止具。
【請求項３】
カプセル内に収容する高吸水剤は、１．０〜３．０ｇである請求項２に記載の遺体の体腔封止具。
【請求項４】
円筒状のカプセルは、外径が７〜１５mm、長さが２０〜５０mmである請求項１〜３のいずれか１項に記載の遺体の体腔封止具。
【請求項５】
カプセル内に、さらに粉末状又は顆粒状の消臭剤及び／又は殺菌剤を収容してなる請求項１〜４のいずれか１項に記載の遺体の体腔封止具。
【考案の詳細な説明】
【技術分野】
【０００１】
本考案は、人の死後、遺体の体腔から分泌される分泌物が外部に遺漏するのを防止するための遺体の体腔封止具に関する。
【背景技術】
【０００２】
人は死後、体腔各部の筋肉が弛緩し、体腔内の分泌物（汚物）が遺漏してくる。特に、肛門や女性の膣等からの分泌物は多量のこともある。このため、従来は、多量の脱脂綿を肛門や女性の膣等に詰めるようにして、分泌物の遺漏を防止している。
【０００３】
かかる作業は、煩雑であり、また不衛生であったりする。これらを解決する対策として、特許文献１には、高吸水性多孔質繊維からなる筒状成形体と、該成形体の外周に被覆された水溶性シール材と、該水溶性シール材の上に被覆された潤滑剤層とからなるい体腔封止装置が開示されている。
【０００４】
この装置は、高吸水性多孔質繊維からなる筒状成形体が基本となっているため、該筒状成形体を製造するための装置が必要となり、コストもかかる。
また、大きさも、直径が１０〜２５mm、長さが２０〜８０mmと、直径が大きめかつ長さが長めの場合、比較的大きいものであるため、体腔内に挿入し易くするために、潤滑剤層を設ける必要がある。
【先行技術文献】
【特許文献】
【０００５】
【特許文献１】特開２００３−１１１８３０号公報
【考案の概要】
【考案が解決しようとする課題】
【０００６】
そこで、本考案は、簡単な工程での製造が可能で、体腔内への挿入も容易な遺体の体腔封止具を提供することを目的とする。
【課題を解決するための手段】
【０００７】
上記の課題を解決するために、本考案に係る遺体の体腔封止具は、それぞれ開口端部と閉鎖端部を有する円筒状のボディーとキャップとを互いに嵌合させてなるカプセルを設け、前記ボディーとキャップとの内少なくとも一方の閉鎖端部はドーム状となし、前記カプセルは水溶性資材により形成し、前記カプセル内に粉末状又は顆粒状の高吸水剤を収容してなること、を特徴としている。
ここで、高吸水剤は、２００〜３００ｍｌ／ｇの吸水力を有するものとするとよい。
また、カプセル内に収容する高吸水剤は、１．０〜３．０ｇとすることができる。
また、円筒状のカプセルは、外径が７〜１５mm、長さが２０〜５０mmとすることができる。
また、カプセル内に、さらに粉末状又は顆粒状の消臭剤及び／又は殺菌剤を収容することができる。
【考案の効果】
【０００８】
本考案に係る遺体の体腔封止具は、それぞれ開口端部と閉鎖端部を有する円筒状のボディーとキャップとを互いに嵌合させてなるカプセルを設け、前記ボディーとキャップとの内少なくとも一方の閉鎖端部はドーム状となし、前記カプセルは水溶性資材により形成し、前記カプセル内に粉末状又は顆粒状の高吸水剤を収容してなるので、単に粉末状又は顆粒状の高吸水剤をカプセル内に収容するだけの極めて簡単な工程で製造することができる。
体腔への挿入側となるボディーとキャップとの内少なくとも一方の閉鎖端部はドーム状となっているので、体腔に挿入する際、滑らかで挿入し易い。
高吸水剤を２００〜３００ｍｌ／ｇの吸水力を有するものとすれば、高吸水剤は少量でも多量の水を吸水できるので、小容量のカプセル、従って、小さなカプセルでも十分な吸水力をもつ高吸水剤を収容することができる。
カプセル内に収容する高吸水剤を、１．０〜３．０ｇとすれば、２００〜９００ｍｌの水を吸水できるので、肛門や女性の膣用としても十分な吸水量である。
円筒状のカプセルを、外径が７〜１５mm、長さが２０〜５０mmとすれば、寸法がそれ程大きくなく、肛門や女性の膣への挿入も容易である。
カプセル内に、さらに粉末状又は顆粒状の消臭剤及び／又は殺菌剤を収容すれば、消臭効果により湯灌などの作業がし易くなる。また、殺菌効果により衛生的となる。
【図面の簡単な説明】
【０００９】
【図１】本考案の実施例による遺体の体腔封止具の正面図である。
【図２】図１の断面図である。
【図３】他の実施例による遺体の体腔封止具の一部断面正面図である。
【考案を実施するための形態】
【００１０】
以下、本考案の実施例を図面に基づいて具体的に説明する。本考案の実施例による遺体の体腔封止具１は、水溶性資材により形成された円筒状のカプセル２内に粉末状又は顆粒状の高吸水剤５を収容してなるものである。
【００１１】
円筒状のカプセル２は、それぞれ開口端部３ａ，４ａと閉鎖端部３ｂ，４ｂを有する円筒状のボディー３とキャップ４とを互いに嵌合させてなる。ボディー３とキャップ４の閉鎖端部３ｂ，４ｂはともにドーム状に形成してある。ボディー３にキャップ４を嵌合させた際、キャップ４の開口端部４ａの外周部に僅かな段差を生じ、この段差が挿入時の抵抗とならないように、キャップ４側を体腔への挿入側とするとよい。キャップ４側を体腔への挿入側とした場合、少なくともキャップ４側の閉鎖端部４ｂはドーム状に形成して、滑らかに挿入できるようにする。
【００１２】
なお、図１、図２では、ボディー３とキャップ４の閉鎖端部３ｂ，４ｂをともにドーム状に形成したものを示したが、ボディー３側の閉鎖端部３ｂは、図３に示すようにフラット状に形成するようにしてもよい。
【００１３】
水溶性資材としては、ゼラチンなどが好ましい。ゼラチンで形成したゼラチンカプセル２内に粉末状又は顆粒状の高吸水剤を収容するだけで、製造は極めて容易である。ボディー３内に高吸水剤を収容し、キャップ４を嵌合させる際、キャップ４に極少量の水を付着させて嵌合させれば、ボディー３とキャップ４との嵌合部が接着して、キャップ４が外れるおそれはない。
このゼラチンカプセル２は体腔内の分泌物の水分によって溶解し、収容されている高吸水剤（高吸水性樹脂）５が分泌物に接触し、該分泌物の水分によって速やかに膨潤してゲル化する。これにより、体腔からの分泌物の遺漏が防止されることになる。
【００１４】  粉末状又は顆粒状の高吸水剤５としては、例えば、（公序良俗違反につき、不掲載）が挙げられる。この高吸水剤５の吸水能力は、２５０倍／１ｇ精製水である。これは一例であって、これ以外の高吸水剤５を用いてもよいことは勿論である。
【００１５】
カプセル２内には、粉末状又は顆粒状の高吸水剤５の他に、粉末状又は顆粒状の消臭剤を混入させて収容することが好ましい。消臭効果により、湯灌等の作業も円滑に行えることになる。
また、粉末状又は顆粒状の殺菌剤（除菌剤）を混入させて収容することもできる。これにより、細菌の感染が防止され、衛生上も好ましい。
これらの高吸水剤、消臭剤、殺菌剤は、いずれも粉末状又は顆粒状であるので、カプセル２内への収容も容易である。
【００１６】
高吸水剤５は、２００ｍｌ／ｇ以上、さらには２００〜３００ｍｌ／ｇ程度の吸水力を有するものが好ましい。このように十分に高い吸水力を有するので、少量の高吸水剤５でも多量の水を吸水できる。このため、小容量のカプセル、従って、小さなカプセル２内に十分な吸水力を有する高吸水剤５を収容することができる。
【００１７】
円筒状のカプセル２内に収容する高吸水剤５は、肛門や女性の膣用として用いる場合、１．０〜３．０ｇ程度とすればよい。この程度の量があれば、２００〜９００ｍｌ程度の水を吸水でき、十分な吸水量を確保できる。
また、鼻や耳用として用いる場合、０．１〜０．５ｇ程度で足りる。
【００１８】
円筒状のカプセル２は、肛門や女性の膣用として用いる場合、外径Ｄが７〜１５mm、長さＬが２０〜５０mm程度とする。この程度の大きさであれば、寸法がそれ程大きくなく体腔への挿入作業も容易である。
また、鼻や耳用として用いる場合、外径Ｄが５〜７mm、長さＬが１０〜２０mm程度とする。
【符号の説明】
【００１９】
１  体腔封止具
２  カプセル
３  ボディー
３ａ  開口端部
３ｂ  閉鎖端部
４  キャップ
４ａ  開口端部
４ｂ  閉鎖端部
５  高吸水剤
【図１】
0003193209.tif 000003
【図２】
0003193209.tif 000004
【図３】
0003193209.tif 000005
【手続補正書】
【提出日】平成26年7月16日(2014.7.16)
【手続補正１】
【補正対象書類名】明細書
【補正対象項目名】００１４
【補正方法】削除
【補正の内容】